【手続補正書】
【提出日】平成19年5月9日(2007.5.9)
【手続補正１】
【補正対象書類名】明細書
【補正対象項目名】全文
【補正方法】変更
【補正の内容】
【書類名】  明細書
【発明の名称】  マッサージ機
【特許請求の範囲】
【請求項１】
第１壁部（１０ａ）と第２壁部（１０ｂ）とが間隔をもって対向して設けられ、対向する第１壁部（１０ａ）と第２壁部（１０ｂ）との間に脚を位置させて両壁部（１０ａ，１０ｂ）間にある脚をマッサージするマッサージ機において、前記第１壁部（１０ａ）には、空気の給排により膨張収縮動作するエアセル（１１，１２，１３）が設けられ、前記第２壁部（１０ｂ）には、前記第１壁部（１０ａ）のエアセルの膨張動作によって当該第２壁部（１０ｂ）に押し付けられた脚に対して押圧作用を与えるべく凸状形成された押圧部（４１，４３）が、前記第２壁部（１０ｂ）の長手方向に複数設けられており、前記両壁部（１０ａ，１０ｂ）は、前記両壁部（１０ａ，１０ｂ）間に脚を入れた状態で、足首側ほど幅狭となるように先細り状に形成されていることを特徴とするマッサージ機。
【請求項２】
第１壁部（１０ａ）と第２壁部（１０ｂ）とが間隔をもって対向して設けられ、対向する第１壁部（１０ａ）と第２壁部（１０ｂ）との間に脚を位置させて両壁部（１０ａ，１０ｂ）間にある脚をマッサージするマッサージ機において、前記第１壁部（１０ａ）には、空気の給排により膨張収縮動作するエアセル（１１，１２，１３）が設けられ、前記第２壁部（１０ｂ）には、前記第１壁部（１０ａ）のエアセルの膨張動作によって当該第２壁部（１０ｂ）に押し付けられた脚に対して押圧作用を与えるべく凸状形成された押圧部（４１，４３）が、前記第２壁部（１０ｂ）の上下方向に複数設けられており、前記第２壁部（１０ｂ）上部の押圧部（４１，４３）ほど突出量が大きくなっていることを特徴とするマッサージ機。
【請求項３】
底面部（９）の両側から立設された両側壁部（１０ａ，１０ｂ）を有する溝形状の脚保持部（８）を備え、溝形状の脚保持部（８）内に入れられた脚をマッサージすることを特徴とする請求項１又は２に記載のマッサージ機。
【請求項４】
前記底面部（９）には、脚に対して振動を与える振動発生装置（４５）が設けられていることを特徴とする請求項３に記載のマッサージ機。
【請求項５】
前記底面部（９）には、空気の給排により膨張収縮動作する第２エアセル（１８）が設けられていることを特徴とする請求項３又は４に記載のマッサージ機。
【請求項６】
前記エアセル（１１，１２，１３）としては、１つの大エアセル（１１）と２つの小エアセル（１２，１３）とが設けられ、大エアセル（１１）と２つの小エアセル（１２，１３）とは重ねて配置されていることを特徴とする請求項１〜５のいずれかに記載のマッサージ機。
【請求項７】
前記エアセル（１１，１２，１３）としては、１つの大エアセル（１１）と２つの小エアセル（１２，１３）とが設けられ、２つの小エアセル（１２，１３）のうち一方は、大エアセル（１１）と前記弟１壁部（１０ａ）の長手方向一方側の範囲で重ね合わされ、他方は、大エアセル（１１）と前記弟１壁部（１０ａ）の長手方向他方側の範囲で重ね合わされていることを特徴とする請求項１〜６に記載のマッサージ機。
【請求項８】
前記大エアセル（１１）は、脚保持部（８）の前記弟１壁部（１０ａ）の長手方向の長さとほぼ等しい幅を有し、小エアセル（１２，１３）は、前記弟１壁部（１０ａ）の長手方向の長さが大エアセル（１１）のほぼ半分の幅に形成されていることを特徴とする請求項７に記載のマッサージ機。
【請求項９】
前記小エアセル（１２，１３）が、第１壁部（１０ａ）と大エアセル（１１）との間に配置されていることを特徴とする請求項６〜８のいずれかに記載のマッサージ機。
【発明の詳細な説明】
【０００１】
【発明の属する技術分野】
本発明は、マッサージ機、特にエアーマッサージ機に関するものである。
【０００２】
【従来の技術】
従来より、身体の左右両側をエアセルによってマッサージする技術が提案されている。例えば、特開平６−１９７９３４号公報に記載のマッサージ機は、フレームに左右対向配置された左右２つのエアセルに空気が供給されて膨張すると身体を左右両側からマッサージを行えるものである。
【０００３】
【発明が解決しようとする課題】
上記従来のものでは、身体を左右両側からマッサージするために、フレームの左右にエアセルを設けていた。しかし、左右にそれぞれエアセルを設ける構造の場合、例えば、両脚のマッサージに本構造を適用しようとすると、一方の片足の左右にそれぞれエアセルを設け、他方の片足の左右にそれぞれエアセルを設ける必要があり、最低でも４個のエアセルが必要となってしまい、エアセルの数が増加するという問題がある。
【０００４】
また、エアセルの数が増大すると、各エアセルに接続される空気配管の数も増加し、配管構造も複雑になり製造コストの増大を招いていた。上記問題に鑑み、本発明の課題は、エアセルの数の増加を抑えつつ、身体の両側からのマッサージを実現することにある。
【０００５】
【課題を解決するための手段】
上記課題を解決するために、本発明は、次の技術的手段を講じた。すなわち、本発明の第１の特徴は、第１壁部と第２壁部とが間隔をもって対向して設けられ、対向する第１壁部と第２壁部との間に脚を位置させて両壁部間にある脚をマッサージするマッサージ機において、前記第１壁部には、空気の給排により膨張収縮動作するエアセルが設けられ、前記第２壁部には、前記第１壁部のエアセルの膨張動作によって当該第２壁部に押し付けられた脚に対して押圧作用を与えるべく凸状形成された押圧部が、前記第２壁部の長手方向に複数設けられており、前記両壁部は、前記両壁部間に脚を入れた状態で、足首側ほど幅狭となるように先細り状に形成されている点にある。
【０００６】
また、本発明の第２の特徴は、第１壁部と第２壁部とが間隔をもって対向して設けられ、対向する第１壁部と第２壁部との間に脚を位置させて両壁部間にある脚をマッサージするマッサージ機において、前記第１壁部には、空気の給排により膨張収縮動作するエアセルが設けられ、前記第２壁部には、前記第１壁部のエアセルの膨張動作によって当該第２壁部に押し付けられた脚に対して押圧作用を与えるべく凸状形成された押圧部が、前記第２壁部の上下方向に複数設けられており、前記第２壁部上部の押圧部ほど突出量が大きくなっている点にある。これらの場合、第１壁部に設けられたエアセルは、膨張すると両壁部間にある脚を第２壁部に押し付ける。したがって、脚は、第１壁部及び第２壁部の双方からマッサージを受けることになる。しかも、第２壁部には、押し付けられた脚に対して押圧作用を与えるべく凸状形成された押圧部が設けられているので、一層効果的に第２壁部からの押圧マッサージを行える。なお、押圧部が第２壁部に対して局所的に設けられていれば、脚のツボ等の局所的な場所をマッサージすることもできる。
【０００７】
さらに、本発明の第３の特徴は、底面部の両側から立設された両側壁部を有する溝形状の脚保持部を備え、溝形状の脚保持部内に入れられた脚をマッサージする点にある。好ましくは、前記溝形状の脚保持部は、椅子型マッサージ機本体の座部前側において両脚をそれぞれ脚保持部内に入れることができるように２つ設けることができる。そして、本発明の第４の特徴は、前記底面部には、脚に対して振動を与える振動発生装置が設けられている点にある。
【０００８】
さらに、本発明の第５の特徴は、前記底面部には、空気の給排により膨張収縮動作する第２エアセルが設けられている点にある。
【０００９】
さらに、本発明の第６の特徴は、前記エアセルとしては、１つの大エアセルと２つの小エアセルとが設けられ、大エアセルと２つの小エアセルとは重ねて配置されている点にある。
【００１０】
さらに、本発明の第７の特徴は、前記エアセルとしては、１つの大エアセルと２つの小エアセルとが設けられ、２つの小エアセルのうち一方は、大エアセルと前記弟１壁部の長手方向一方側の範囲で重ね合わされ、他方は、大エアセルと前記弟１壁部の長手方向他方側の範囲で重ね合わされている点にある。
【００１１】
さらに、本発明の第８の特徴は、前記大エアセルは、脚保持部の前記弟１壁部の長手方向の長さとほぼ等しい幅を有し、小エアセルは、前記弟１壁部の長手方向の長さが大エアセルのほぼ半分の幅に形成されている点にある。
【００１２】
さらに、本発明の第９の特徴は、前記小エアセルが、第１壁部と大エアセルとの間に配置されている点にある。
【００１３】
【発明の実施の形態】
以下、本発明の実施形態を図面に基づいて説明する。図１は、椅子型マッサージ装置１を示している。この椅子型マッサージ機１は、椅子本体として背もたれ部２と座部３とを有しており、さらに座部３の前側に脚載部（フットレスト）５を備えて構成されている。前記背もたれ部２の内部には、背もたれ部高さ方向に昇降自在な背中マッサージ部２ａが設けられており、首から腰の範囲をマッサージすることができる。また、この背もたれ部２は、図示しないリクライニング機構によりリクライニング可能である。
【００１４】
前記座部３には、空気の給排気により膨張収縮するエアセル（図示省略）が配置されており、エアセルの膨張収縮によりお尻から太ももの範囲をマッサージすることができる。なお、座部３のエアセルと脚保持部５のエアセル（後述）に圧縮空気を供給するための空気供給源（ポンプ）は座部３の下側に配置されている。前記脚載部５は、図２にも示すように、身体の一部である脚を保持できるような溝７，７を有する脚保持部（身体保持部）８を備えている。なお、図２の脚載部５は布製等のカバーによって覆われている（図１参照）。
【００１５】
この脚載部５は、座部３の前部に対して左右方向の回動軸（図示省略）廻りに回動自在に取り付けられており、図１に示すように、溝長手方向が座部３の座面に対してほぼ直交して椅子型マッサージ機に座った使用者が膝を曲げた状態で脚保持部８内に脚を入れることができる状態から、脚載部５を前記回動軸回りに回動して上昇させ、溝長手方向が座部３の座面とほぼ平行となって椅子型マッサージ機に座った使用者が膝を伸ばした状態で脚保持部８内に脚を入れることができる状態の間の任意の位置に変位させることができる。
【００１６】
脚保持部８としては、左脚を入れるための第１脚保持部８ａ（図２において右側）と、右脚を入れるための第２脚保持部８ｂ（図２において左側）とを備えて、両脚をそれぞれ入れることができるようになっている。各脚保持部８ａ，８ｂは、底面部９と、この底面部の左右両側から立ち上がった左右の側壁部１０ａ，１０ｂとを有している。前記溝７は底面部９と側壁部１０ａ，１０ｂとで形成されている。この溝７は、その長手方向長さが使用者の脚のふくらはぎから足首の範囲が入る程度の長さに形成されている。なお、溝７，７は、脚が入る程度の横幅を有しており、具体的には足首側ほど幅狭となるように先細り状に形成されており、図２において溝が幅狭の下側に足首が入れられ、溝が幅広の上側にふくらはぎが入れられる。
【００１７】
脚保持部８ａ，８ｂの両側壁１０ａ，１０ｂのうち、脚の外側と対向する外側壁（以下、第１壁部１０ａという）には、空気の給排気によって膨張収縮する第１エアセル１１，１２，１３が設けられている。また、両側壁部１０ａ，１０ｂのうち、脚の内側と対向する内側壁部（以下、第２壁部１０ｂという）には、エアセルは設けられていない。第２壁部１０ｂにはエアセルの代わりに、振動発生装置１５が設けられている。また、第２壁部１０ｂには、第２壁部１０ｂに対する身体の当たりをやわらかくするための緩衝材（クッション材）２８が設けられている。
【００１８】
さらに、脚保持部８ａ，８ｂの底面部９には、脚の裏側を押圧するために上方に膨張する第２エアセル１８が設けられている。前記第１エアセル１１，１２，１３及び第２エアセル１８は、収縮時にはフラットな袋状であり、空気が供給されると、図２〜図４において点線で示すように膨張する。すなわち第１エアセル１１，１２，１３は第２壁部側に向かって膨張し、第２エアセル１８は上方に膨張する。第１エアセル１１，１２，１３としては、３つ設けられており、１つの大エアセル１１と２つの小エアセル１２，１３とを重ねて配置されている。
【００１９】
大エアセル１１は、小エアセル１２，１３に比べて面積の大きいエアセルであり、従って脚の広範囲を押圧することができるものである。一方、小エアセル１２，１３は、大エアセル１１に比べて面積の小さいエアセルであり、従って脚の狭い範囲を押圧することができるものである。大エアセル１１は、脚保持部８ａ，８ｂの第１壁部１０ａの溝長手方向長さとほぼ等しい幅を有しており、大エアセル１１の膨張によりふくらはぎから足首の範囲を押圧することができる。また、小エアセル１２，１３は、溝長手方向長さが大エアセルのほぼ半分（若しくは半分よりやや小さい）程度の幅に形成されている。
【００２０】
小エアセル１２，１３のうち一方のエアセル（以下、第１小エアセル１２という）は、大エアセル１１と溝長手方向一方側（ふくらはぎ側）の範囲で重ね合わされており、ふくらはぎ外側に対しては、大エアセル１１と第１小エアセル１２とによって押圧マッサージをすることができる。また、小エアセル１２，１３のうち他方のエアセル（以下、第２小エアセル１３という）は、大エアセル１１と溝長手方向他方側（足首側）の範囲で重ね合わされており、足首外側に対しては、大エアセル１１と第２小エアセル１３とによって押圧マッサージをすることができる。
【００２１】
上記のように脚（身体）を押圧して第２壁部１０ｂに押し付けるための第１エアセルは（膨張収縮方向に）複数枚重ねて構成されているので、第１エアセル全体の膨張量として十分大きくすることができる。したがって、溝７，７の横幅（第１壁部１０ａと第２壁部１０ｂとの間隔）を大きくして脚を入れやすくしても、第１エアセルの膨張量が十分にあるので、脚は確実に第２壁部１０ｂに押し付けられる。これを言い換えると、第１エアセルは、脚を第２壁部１０ｂに押し付けることができる程度まで膨張するものであるので、第１エアセルだけでも脚の両側への押圧作用が得られる。なお、膨張量を大きくするには、例えば、１つの袋の空気容量を大きくすることでも対応できる。
【００２２】
大小エアセル１１，１２，１３の各背面（第１壁部１０ａとの対向面側）には、空気を給排気するための空気配管（エアーチューブ）２０，２１，２２が接続されている。第１壁部１０ａには、空気配管２０，２１，２２を通すための凹部２４が形成されており、各エアセル１１，１２，１３の背面に接続された空気配管２０，２１，２２は、第１壁部１０ａに形成された凹部２４を通って脚保持部８外に延設されている。ここで、小エアセル１２，１３は、大エアセル１１の背面側（大エアセル１１と第１壁部１０ａとの間）に配置されているが、大エアセル１１背面に接続される配管２０を通すために、各小エアセル１２，１３は、並置方向（溝長手方向）に間隔を置いて配置されている。かかる配置により、大小エアセル１１，１２，１３を重ねて配置しても配管が可能である。
【００２３】
また、各エアセル１２，１３間に間隔を設けていないと、大エアセル１１に対する配管２０接続位置を、例えば溝長手方向端部よりにする必要があるが、その場合、大エアセル１１の膨張が均一にならないおそれがある。一方、小エアセル１２，１３間に間隔を設けて小エアセル間に配管２０を通すことで、大エアセル１１の膨張を均一にすることができる。また、図２に示すように、小エアセル１２，１３に接続される配管２１，２２も大エアセル１１の配管２０寄りに配置させることで、各配管２１，２２を狭い場所にまとめるてコンパクトにすることができる。したがって、凹部２４は小さくすることができる。なお、小エアセル１２，１３間の間隔を、大エアセルの配管２０の径とほぼ同じ程度がやや大きい程度に抑えておくことで、小エアセル１２，１３の面積を大きくできる。
【００２４】
図５及び図６に示すように、各配管２０，２１，２２は、取付部材２６を貫通しており、各配管２０，２１，２２は抜け止め部材２７によって取付部材２６からの抜け止めがなされている。したがって、大小エアセル１１，１２，１３は、重ねて配置した状態で配管２０，２１，２２及び抜け止め部材２７を介して取付部材２６に固定されている。製造時には、大小エアセル１１，１２，１３に配管２０，２１，２２を接続し、取付部材２６（の貫通孔）に配管２０，２１，２２を通して抜け止め部材２７で抜け止めをして３つのエアセル１１，１２，１３を一体化した状態に組み立てておき、取付部材２６を第１壁部１０ａにピン等で固定することによって、エアセル１１，１２，１３を容易に第１壁部１０ａに取り付けることができる。
【００２５】
第２壁部１０ｂ（の内面）は、第１壁部１０ａの第１エアセル１１，１２，１３が膨張したときに脚の内側が押し付けられる受け面とされている。すなわち、第２壁部１０ｂに第１エアセルの膨張によって脚内側が押し付けられると、当該押し付け力の反力として、第２壁部１０ｂは脚内側を押圧する。したがって、脚は、第１エアセルと第２壁部１０ｂによって左右両側から押圧される。第２壁部１０ｂに設けられた振動発生装置（バイブレータ）１５は、第２壁部１０ｂに形成された凹部２７内に配置されている。凹部２７は、第２壁部１０ｂの脚受け面が内方に凹状形成されたものである。振動発生装置１５は、凹部２７内で、第２壁部１０ｂと直接接しないように振動吸収材（ウレタンフォーム等：図示省略）を介して設けられている。この振動発生装置３０は、電動モータの回転軸に振動子（分銅）を偏心して設け、モータの回転により偏心した振動子が振れて振動を発生させるものである（図示省略）が、かかる構成に限定されるものではない。
【００２６】
振動発生装置１５は、第１エアセル１１，１２，１３によって第２壁部１０ｂに押し付けられた脚（身体）に対して振動マッサージを与えることができるが、図２に示すように振動発生装置１５を第２壁部１０ｂの受け面より第１壁部１０ｂに突出するように配置することで、第１エアセル１１，１２，１３により第２壁部１０ｂに押し付けられた脚に対して押圧力を付与するように凸状形成された押圧部としても作用する。なお、振動発生装置１５に凸状形成された押圧部としての作用が不要であれば、振動発生装置１５を凹部２７内に完全に収納した状態又は突出量を少なくした状態で配置しておけばよい。
【００２７】
脚保持部８，８は、強度確保のため剛性の高い材料（例えば、硬質プラスチック）によって形成されているが、硬い側壁１０ｂに脚が押し付けられると脚への押圧が硬いものとなり、エアセルで押圧するようなやわらかい当たりが得られないことがある。このため、第２壁部１０ｂには、脚への当たりをやわらかくするための緩衝材２８が設けてある。この緩衝材２８は、プラスチックの発泡体等、押圧により収縮変形する材料によって構成され、溝長手方向全長とほぼ等しい長さを有しており、第２壁部１０ｂのほぼ全体に設けられている。すなわち、第１エアセル（大エアセル１１）とほぼ等しい長さを有している。
【００２８】
緩衝材２８は、外力によって収縮変形可能なものであれば様々な材料を採用できるが、図２〜図４に示すものでは、脚への当接面側がウレタンフォームにより形成された第１層２８ａと、第１層２８ａの背面（第１層２８ａと第２壁部１０ｂの間）には、チップウレタンにより形成された第２層２８ｂによって構成されている。このように緩衝材２８を複数層構造とし、脚により近い第１層２８ｂをより柔軟な材質（ウレタンフォーム）として脚への当たりを良好にするとともに、柔軟な第１層２８ａと硬い第２壁部１０ｂとの間に第１層２８ａより柔軟性（収縮性）が低い材料（チップウレタン）を介在させておくことで、第１層２８ａが大きく収縮したときに第２壁部１０ｂの硬さが脚に伝わることを防止できる。
【００２９】
図７に示すように、第１エアセル１１が膨張動作すると、脚Ｆは第２壁部１０ｂの緩衝材２８に押し付けられる。このとき緩衝材２８は、脚が押し付けられた部分が収縮変形して、当たりをやわらかくして適度な押圧マッサージを行う。また、緩衝材２８が凹状に変形して脚を受けるため、第１エアセル１１，１２，１３によって第２壁部１０ｂに押し付けられた脚が溝上方に逃げてしまうのを防止でき、しかも脚の丸みにフィットする。したがって、第１壁部１０ａの第１エアセル１１，１２，１３だけで脚を押圧しても、脚の外側と内側を効果的にマッサージできる。
【００３０】
なお、図示のものでは、硬質の第２壁部１０ｂに緩衝材２８を設けたが、第２壁部１０ｂ自体を緩衝材２８によって構成してもよい。この場合、図示の第２壁部１０ｂ，１０ｂは左右で分離しているが、左右を一体的にしておけば強度的に有利である。脚保持部８ａ，８ｂの底面部９に設けられた第２エアセル１８は、溝７，７の上方に向かって膨張するものであり、図２の場合、ふくらはぎの裏側を押圧する位置に設けられている。なお、第２エアセル１８としては、溝７，７長手方向全体にわたってふくらはぎから足首の裏までを押圧できるものを設けたり、足首の裏側だけを押圧する位置に設けたりすることができる。また、底面部９の第２エアセル１８においても、第１エアセル１１，１２，１３のような複数のエアセルを重ねた構造を採用してもよい。
【００３１】
図８に示すように、第１エアセル１１，１２，１３及び第２エアセル１８には、コンプレッサー、アキュムレータ等からなる空気供給源３５から圧縮空気が供給され膨張する。また、各エアセルと空気供給源３５との間には、給排気を切り替えるための切換弁３７，３８が介在しており、各エアセルの膨張（給気）、収縮（排気）、膨張状態維持（非排気で給気停止）を切り換えることができる。なお、第１エアセル１１，１２，１３及び第２エアセル１８は、左右にそれぞれ存在し、左右のエアセルは同一の配管に接続されているので同時に膨張収縮するが、図８では左右のエアセルは省略されている。
【００３２】
切換弁は、個々のエアセルに対して設けて、個々のエアセルを独立して動作させることもできるが、図示ものでは、配管の簡素化のため、大エアセル１１と第２小エアセル１３とを共通の切換弁３７で制御し、第１小エアセル１２と第２エアセル１８とを共通の切換弁３７で制御している。したがって、大エアセル１１と第２小エアセル１３とは同時に膨張し収縮する。また、第１小エアセル１２と第２エアセル１８とは同時に膨張し収縮する。切換弁３７，３８の制御タイミングとしては、例えば、先に切換弁３７を給気状態にして、大エアセル１１と第２小エアセル１３とを膨張させて、足首側を大きく膨張させることによって、第２壁部１０ｂとの間で足首を挟み込み保持し、その後、切換弁３８を給気状態にして、第１小エアセル１２と第２エアセル１８とを膨張させて、足首からふくらはぎの範囲を確実に挟み込み保持して第２エアセル１８によって脚（ふくらはぎ）の裏側を押圧することができる。
【００３３】
また、振動発生装置１５の動作タイミングとしては、第１エアセル１１，１２，１３が膨張して脚が第２壁部１０ｂに押し付けられているときに振動を発生させ、脚が第２壁部１０ｂに押し付けられていないときには振動を停止するのがよい。すなわち、第１エアセル１１，１２，１３による脚押し付けと振動発生装置１５による振動発生を同期させるのがよい。また、第１エアセル１１，１２，１３に供給される圧縮空気の圧力を変化させることなどで第１エアセル１１，１２，１３の押圧力を可変制御できる場合には、第１エアセル１１，１２，１３の押圧力に応じて振動発生装置１５の振動の強弱も自動調整されるようにしておくのがよい。すなわち、第１エアセル１１，１２，１３の押圧力が強くなった場合には、振動発生装置１５の振動も強くし、第１エアセル１１，１２，１３の押圧力が弱くなった場合は、振動発生装置１５の振動も弱くすることで、メリハリのあるマッサージが行える。
【００３４】
また、同じ強さの振動を身体に加え続けると、身体は次第に振動を弱く感じ始めるので、振動発生装置１５の振動は、強弱を所定時間毎に繰り返すのが好ましい。例えば、強い振動と弱い振動を一秒毎に交互に発生させると、振動にメリハリが付き、効果的に振動マッサージを行える。なお、以上の第１エアセル１１，１２，１３、第２エアセル、及び振動発生装置１５に対する動作制御は、図示しない制御装置によって行われる。以上のような第１実施形態に対し、図９及び図１０は、第２実施形態に係るマッサージ装置の脚載部５を示している。
【００３５】
この脚載部５の脚保持部８における第１壁部１０ａには、第１エアセルとして大エアセル１１が１つ設けられており、第２壁部１０ｂには、振動発生装置１５と押圧体４１が設けられている。振動発生装置１５は、第２壁部１０ｂの溝長手方向ほぼ中央位置付近に設けられている。押圧体（押圧部）４１は、ゴムなどの弾性材よりなり、第１エアセル１１の膨張によって第２壁部１０ｂに押し付けられた脚に押圧力を与えるべく、第２壁部１０ｂの脚受け面から第１壁部１０ｂに向かって凸状形成されている。また、押圧体４１，４１は、脚のふくらはぎと足首を局所的に押圧するように、溝長手方向両側にそれぞれ設けられている。エアセルによって脚の両側から押圧する場合は、局所的な押圧が得られないが、押圧体４１を設けることによって局所的な押圧が得られる。
【００３６】
なお、脚保持部８の底面部９には、第２エアセル１８が設けられている。図１１及び図１２は、第３実施形態に係るマッサージ装置の脚載部５を示している。この第３実施形態では、第２実施形態のような振動発生装置１５を設けず、第２壁部１０ｂのほぼ全体に押圧体（押圧部）４３が設けられている。この押圧体４３は、第２実施形態の押圧体４１に比べて小さく、より局所的な押圧を行うことができる。したがって、脚のツボを刺激するのに適している。また、押圧体４３は、溝７の上下方向にも複数（３つ）設けられており、溝上部の押圧体４３ほど突出量が大きくなっている（図１２参照）。したがって、各押圧体４３の先端を結ぶ形状は丸みを帯びた脚の形状にフィットし良好な押圧が行える。
【００３７】
また、底面部９には、第２エアセル１８が設けられている。図１３及び図１４は、第４実施形態に係るマッサージ装置の脚載部５を示している。この第４実施形態は、第３実施形態のものとほぼ同様であるが、底面部９に第２エアセル１８の他、底部振動発生装置４５が設けられている。この底部振動発生装置４５は、足首付近に対応して設けられている。図１５及び図１６は、第５実施形態に係るマッサージ装置の脚載部５を示している。
【００３８】
この第５実施形態では、第３実施形態の第２エアセル１８に変え、底部押圧体４７を設けている。この底部押圧体４７は、底面部９から上方に多数凸状形成されたものであり、弾性材により構成されている。なお、上記第２〜第５実施形態において説明を省略した点は、第１実施形態と同様である。また、上記実施形態のように、外側壁である第１壁部１０ａにエアセルを設け、内側壁である第２壁部１０ｂに押圧体を設けた場合、脚の内側のツボを押圧できるが、内側壁１０ｂにエアセルを設け、外側壁１０ａに押圧体を設けた場合（この場合、内側壁１０ｂが第１壁部となり、外側壁１０ａが第２壁部となる）、脚の外側のツボを押圧することができることになる。
【００３９】
また、第２〜第５実施形態を示す図面において、緩衝材２８が省略されているが、すべての実施形態において緩衝材２８を設けることが可能である。特に、押圧体と緩衝材を組み合わせる場合、緩衝材と第２壁部１０ｂの間に押圧体を設けてもよいし、緩衝材からさらに脚側（第１壁部１０ａ側）に突出した押圧体を設けても良い。ところで、本発明は、上記実施形態に限定されるものではなく、様々な変形が可能である。例えば、上記実施形態では、椅子型マッサージ機の一部（脚載部）としてのマッサージ機であったが、椅子型マッサージ機と分離した脚用のマッサージ機として構成してもよい。
【００４０】
【発明の効果】
本発明によると、対向する壁の一方に設けられたエアセルで身体を押圧して他方の壁に押し付けるので、両方の壁からの押圧作用が得られる。したがって、エアセルの数を少なくすることができ、配管も簡素となる。
【図面の簡単な説明】
【図１】椅子型マッサージ機の斜視図である。
【図２】第１実施形態に係る脚載部の平面図である。
【図３】図２のＡ−Ａ線断面図である。
【図４】図２のＢ−Ｂ線断面図である。
【図５】第１エアセルの背面図である。
【図６】第１エアセルの第１壁部への取付図である。
【図７】第１エアセルと緩衝材によるマッサージの概念図である。
【図８】エアセルの空気回路である。
【図９】第２実施形態に係る脚載部の平面図である。
【図１０】図９の断面図である。
【図１１】第３実施形態に係る脚載部の平面図である。
【図１２】図１１の断面図である。
【図１３】第４実施形態に係る脚載部の平面図である。
【図１４】図１３の断面図である。
【図１５】第５実施形態に係る脚載部の平面図である。
【図１６】図１５の断面図である。
【符号の説明】
８  脚保持部
９  底面部
１０ａ  側壁（第１壁部）
１０ｂ  側壁（第２壁部）
１１  大エアセル（第１エアセル）
１２  第１小エアセル（第１エアセル）
１３  第２小エアセル（第１エアセル）
１５  振動発生装置
１８  第２エアセル
２８  緩衝材
４１  押圧体
４３  押圧体
４５  振動発生装置
４７  底部押圧体